(57)【要約】      （修正有）【課題】収容物を高い強度で包装して運搬や保管を行い、使用後は簡単な組立工程で収容物を立てるスタンドに組み立てなおして使用することができる包装体を提供する。【解決手段】収容物８６を包むシート体１１から成り、シート体は収容物に沿って折り曲げられる折罫線２０，２２，２４を有し、折罫線から離れて設けられた破断線８４で区切られたスタンド形成片４２を備える。スタンド形成片は、底部となる底面部４４と、底面部の周囲の壁部となる一対の側面部４８、背面部、及び正面部６８を有する。シート体から破断線を切断して、スタンド形成片を形成し、底面部に対して側面部と背面部、正面部を、各々折罫線で正折りして所定角度に組み立てて、収容物を立てるスタンドとする。【選択図】図１
0003210645.tif 000002
【実用新案登録請求の範囲】
【請求項１】
収容物を包むシート体から成り、前記シート体には前記収容物に沿って折り曲げる折罫線が設けられ、前記シート体には前記折罫線から離れて設けられた破断線で区切られたスタンド形成片が設けられ、前記スタンド形成片には、底部となる底面部と、前記底面部の周囲の壁部となる一対の側面部、背面部、及び正面部が設けられ、前記シート体から前記破断線を切断して前記スタンド形成片を形成し、前記底面部に対して前記側面部と前記背面部、前記正面部を各々所定角度に組み立て可能に設けられ、前記収容物を立てるスタンドとすることを特徴とする包装体。
【請求項２】
前記シート体は、前記収容物を筒状に包む４つの側面が前記折罫線で区切られて連接して設けられ、前記スタンド形成片はこのうち３つの前記側面にわたって形成され、
前記底面部は、前記３つの側面にわたって設けられ前記側面の連接方向に長い矩形であり、前記底面部の長手方向に沿う一対の側縁部には、前記側面部が各々設けられ、前記側面部の前記底面部と反対側の側縁部は、前記シート体の側縁部に一致し、
前記底面部の長手方向の一方の端部には、前記正面部が設けられ、
前記底面部の長手方向の他方の端部の近傍に位置する一対の前記側面部の端部には、前記背面部が設けられている請求項１記載の包装体。
【請求項３】
前記シート体は段ボール紙で設けられている請求項２記載の包装体。
【考案の詳細な説明】
【技術分野】
【０００１】
この考案は、収容物を包装して使用し、使用後は収容物を立てるスタンドに組み立てて利用する包装体に関する。
【背景技術】
【０００２】
従来、収容物を包装して配送する包装体は、使用後に廃棄されているが、廃棄せずに展示スタンド等に組み立てなおして再利用するものがある。特許文献１に開示されている展示スタンドは、カタログ、チラシ、商品等の内容物を配送する包装箱として使用され、開梱後にはスタンド部に再利用するものである。収納箱とスタンド部を有し、スタンド部が、収納物を梱包して配送し、到着後に開梱したスタンド部を組み立て、収納箱を立たせて展示することができる。
【０００３】
また、特許文献２のスタンド型ディスプレイ用台座は、台座と、台座の上に取り付けられる板状柱体からなり、台座は、各部品が収納されている段ボール製の梱包箱を、収納物を取り出した後、組み立ててなるものである。
【先行技術文献】
【特許文献】
【０００４】
【特許文献１】特開２０１３−１１２３８８号公報
【特許文献２】特開２００４−１９６４１９号公報
【考案の概要】
【考案が解決しようとする課題】
【０００５】
上記背景技術の場合、包装箱に、スタンドや台座に組み立てるための折り曲げ線やミシン目線が設けられているが、複雑な形状で組立工程も多く、面倒である。また、収容物を包装した時に、収容物に沿って折り曲げて形成された角部分に、スタンドの組み立てに使用する破断線が位置するため、包装箱の強度が低下する恐れがある。
【０００６】
この考案は、上記背景技術の問題点に鑑みてなされたものであり、収容物を高い強度で包装して運搬や保管を行い、使用後は簡単な組立工程で収容物を立てるスタンドに組み立てなおして使用することができる包装体を提供することを目的とする。
【課題を解決するための手段】
【０００７】
本考案は、収容物を包むシート体から成り、前記シート体には前記収容物に沿って折り曲げる折罫線が設けられ、前記シート体には前記折罫線から離れて設けられた破断線で区切られたスタンド形成片が設けられ、前記スタンド形成片には、底部となる底面部と、前記底面部の周囲の壁部となる一対の側面部、背面部、及び正面部が設けられ、前記シート体から前記破断線を切断して前記スタンド形成片を形成し、前記底面部に対して前記側面部と前記背面部、前記正面部を各々所定角度に組み立て可能に設けられ、前記収容物を立てるスタンドとする包装体である。
【０００８】
また、前記シート体は、前記収容物を筒状に包む４つの側面が前記折罫線で区切られて連接して設けられ、前記スタンド形成片はこのうち３つの前記側面にわたって形成され、前記底面部は、前記３つの側面にわたって設けられ前記側面の連接方向に長い矩形であり、前記底面部の長手方向に沿う一対の側縁部には、前記側面部が各々設けられ、前記側面部の前記底面部と反対側の側縁部は、前記シート体の側縁部に一致し、前記底面部の長手方向の一方の端部には、前記正面部が設けられ、前記底面部の長手方向の他方の端部の近傍に位置する一対の前記側面部の端部には、前記背面部が設けられている。
【０００９】
また、前記シート体は段ボール紙で設けられている。前記収容物は、段ボール箱を折り畳んで複数個を重ねたもの等である。
【考案の効果】
【００１０】
本考案の包装体は、収容物を高い強度で包装して搬送や保管を行い、使用後は簡単な組立工程で収容物を立てるスタンドに組み立てなおして使用することができる。特に、収容物を包装した時に、収容物に沿って折り曲げて形成された角部分にスタンドの組み立てに使用する破断線が位置せず、包装体の強度が維持され、安全に運搬や保管を行うことができる。従来は使用後に破棄していた包装体を、スタンドとして再利用することができ、資源を有効に利用することもできる。
【図面の簡単な説明】
【００１１】
【図１】この考案の一実施形態の包装体の包装の使用状態を示す斜視図である。
【図２】この実施形態の包装体の裏面からみた正面図である。
【図３】この実施形態の包装体の包装工程を示す斜視図である。
【図４】この実施形態の包装体の包装工程を示す斜視図である。
【図５】この実施形態の包装体のスタンド形成片を切り取って形成した斜視図である。
【図６】この実施形態の包装体のスタンド形成片の組立工程を示す斜視図である。
【図７】この実施形態の包装体のスタンド形成片を組み立てたスタンドの使用状態を示す斜視図である。
【考案を実施するための形態】
【００１２】
以下、この考案の実施形態について図面に基づいて説明する。図１〜図７はこの考案の一実施形態を示すもので、この実施形態の包装体１０は、段ボール製等の一枚のブランクシートを所定の形状に打ち抜いて形成されたシート体１１から成り、シート体１１の裏面１１ａを内側にして包装物を筒状に包むものである。図２は、包装体１０を裏面１１ａから見た正面図であり、包装体１０は収容物を四角筒状のスリーブで包むものであり、収容物を包む４つの側面１２，１４，１６，１８が、互いに平行に連接して形成されている。側面１２，１４，１６，１８は、連接方向と直交する幅方向の長さは互いに同じ長さであり、それと直交する長さは側面１２，１６が短くて互いにほぼ等しく、側面１４，１８が長くて互いにほぼ等しい。側面１２，１４，１６，１８は、各々折罫線２０，２２，２４で区切られている。
【００１３】
側面１４，１６，１８には、組み立てると１つのスタンド４０となるスタンド形成片４２が一体に連続して設けられている。スタンド形成片４２には、側面１４，１６，１８にわたって形成される１つの底面部４４が設けられている。底面部４４は、側面１４，１６，１８の連接方向に長い矩形であり、側面１４，１６，１８の連接方向と直交する幅の中心に沿って設けられている。底面部４４の、長手方向の一方の端部４４ａは側面１４のほぼ中心に位置し、反対側の端部４４ｂは側面１８の中心よりも折罫線２４から離れた端部１８ａに近いところに位置している。端部４４ａ，４４ｂは、底面部４４の長手方向に対して直角である。
【００１４】
底面部４４の長手方向に沿う一対の側縁部には、一対の側面部４８が一対の折罫線４６で区切られて各々設けられている。側面部４８の、折罫線４６と反対側の側縁部は、シート体１１の長手方向の側縁部１１ｂに一致している。一対の側面部４８は、底面部４４を挟んで左右対称形状である。
【００１５】
一対の側面部４８の、側面１４に位置する端部４８ａは、側面１４，１６，１８の連接方向に対して直角で、底面部４４の端部４４ａに連接して設けられている。一対の側面部４８のうち一方の端部４８ａには、外背面部５２が折罫線５０で区切られて設けられている。外背面部５２は、側面部４８と同じ幅を有する矩形であり、幅方向と直交する長さは、折罫線２０に達しない長さである。外背面部５２の、折罫線５０とは反対側の端部５２ａには、折罫線２０に向かって突出する差込片５４が折罫線５６で区切られて設けられている。差込片５４は、端部５２ａの、折罫線４６の延長線である側縁部５２ｂよりも、シート体１１の側縁部１１ｂに近い位置に設けられている。
【００１６】
一対の側面部４８のうち、外背面部５２が設けられていない方の端部４８ａには、内背面部５８が折罫線６０で区切られて設けられている。内背面部５８は、側面部４８と同じ幅を有する矩形であり、幅方向と直交する長さは、外背面部５２よりもわずかに短いものである。折罫線６０の途中には、短い切断線６２が設けられている。切断線６２は、折罫線４６よりも、シート体１１の側縁部１１ｂに近い位置に設けられている。切断線６２は、スタンド４０を組み立てる際に差込片５４を差し込むものであり、差し込みやすいように、折罫線６０よりもわずかに内背面部５８側に移動し、両端部に折罫線６０に達する短い切断線が設けられたコの字形である。
【００１７】
外背面部５２の端部５２ａ，５２ｂと、差込片５４の周縁部、底面部４４の端部４４ａ、内背面部５８の周縁部に沿って切取用の破断線６６が設けられている。側面１４は破断線６６を切断することにより２分割され、スタンド形成片４２をその他の部分から切り離す。
【００１８】
一対の側面部４８の、側面１８に位置する端部４８ｂは、側面１４，１６，１８の連接方向に対して直角で、底面部４４の端部４４ｂに連接して設けられている。端部４８ｂは、シート体１１の側縁部１１ｂにそれぞれ達しない短いものである。端部４８ｂの、底面部４４と反対側の端部に連続する側縁部４８ｃは、側縁部１１ｂの、折罫線２４から少し離れた位置に達する傾斜した直線で形成され、側面１８内に位置する側面部４８は、変形した５角形となる。一対の端部４８ｂには、フラップ７８が折罫線８０で各々区切られて設けられている。フラップ７８は、端部４８ｂと同じ幅を有する矩形であり、幅方向と直交する長さは底面部４４の幅よりも少し短い。
【００１９】
底面部４４の、側面１８に位置する端部４４ｂには、正面部６８が折罫線７０で区切られて設けられている。正面部６８は、底面部４４と同じ幅を有する矩形であり、幅方向と直交する長さは側面１８の側縁部１８ａに達しない長さであり、側面部４８の端部４８ｂの長さよりもわずかに長い。折罫線７０の途中には、短いスリット７１が設けられている。正面部６８はフラップ７８に隣接して設けられ、フラップ７８との間に折罫線４６の延長線である切断線８２が設けられて区切られている。
【００２０】
正面部６８の、折罫線７０と反対側の端部には、折返し部７２が折罫線７４で区切られて設けられている。折罫線７４は短い間隔を開けて平行な２本が設けられている。折返し部７２は、２本の折罫線７４でコの字形に折り返されて正面部６８の裏面１１ａに重ねられるものであり、正面部６８よりもわずかに幅が狭い矩形であり、幅方向と直交する長さは正面部６８とほぼ同じである。折返し部７２の、折罫線７４と反対側の端部には、外側に向かって突出する差込片７６が設けられている。差込片７６は、折返し部７２を正面部６８に折り返したときにスリット７１に差し込んで係止するものであり、シート体１１の厚み程度の突出長さを有する小さい突起である。なお、差込片７６の先端は、側面１８の側縁部１８ａに達していない。
【００２１】
一対の側面部４８の側縁部４８ｃと、一対のフラップ７８の周縁部、折返し部７２の周縁部に沿って切取用の破断線８４が設けられている。側面１８は破断線８４を切断することにより２分割され、スタンド形成片４２をその他の部分から切り離す。
【００２２】
なお側面１６には、側面１４，１８の連接方向と直交する幅の中心に底面部４４が位置し、その両側に一対の側面部４８が位置している。
【００２３】
次に、包装体１０の使用方法について説明する。ここでは図２が包装体１０のシート体１１の裏面１１ａを見たものであり、裏面１１ａが凹となる折り方を正折り、表面１１ａが凹となる折り方を逆折りと称する。ここで、包装体１０で包む収容物は、同形状の複数個の段ボール箱８６であり、図３に示すように段ボール箱８６を折り畳んで複数個を重ね、２本の帯部材８８で束ねて立方体となったものである。段ボール箱８６は例えば１０枚を重ねたものである。包装体１０で段ボール箱８６を包む時は、図４に示すように包装体１０の裏面１１ａを上にして広げ、図３に示すように側面１４に段ボール箱８６を置く。
【００２４】
次に折罫線２０を９０°に正折りして側面１２を段ボール箱８６の側縁部に重ね、折罫線２２を９０°に正折りして側面１６を段ボール箱８６の反対側の側縁部に重ね、更に折罫線２４を９０°に正折りして側面１８を段ボール箱８６の上方に位置する側面に重ね、スリーブ状に包む。そして、図１に示すように包装体１０の外側を一周して帯部材９０等で束ねる。これで包装体１０の包装作業が完了し、運搬や保管を行う。この時、段ボール箱８６に沿って折り曲げて角部となる折罫線２０，２２，２４には切取用の破断線が位置せず、角部の強度が維持される。
【００２５】
包装体１０から段ボール箱８６を取り出す時は、帯部材９０を外し、包装体１０を開いて段ボール箱８６を取り出す。使用済みの包装体１０は、段ボール箱８６を立てるスタンド４０に組み立てなおして使用する。
【００２６】
次にスタンド４０の組立方法について説明する。包装体１０の、破断線６６，８４を各々切断し不要な部分を切り離し、図５に示すようにスタンド形成片４２を形成する。次に図６に示すように、一対の折罫線４６を９０°に正折りし、底面部４４の両側に側面部４８を各々９０°で立設する。そして内背面部５８を折罫線６０で正折りし、内背面部５８の外側面に重なるように外背面部５２を折罫線５０で正折りし、差込片５４を折罫線５６で正折りして切断線６２に差し込み係止する。これによりスタンド４０の長手方向の一方の端部が組み立てられる。
【００２７】
そして、一対のフラップ７８を折罫線８０で正折りし互いに少し重ね、重ねられたフラップ７８の外側面に重なるように正面部６８を折罫線７０で正折りし、さらに折返し部７２を２本の折罫線７４でコの字形に正折りし、重ねた２枚のフラップ７８を包むように裏面１１ａに重ね、差込片７６をスリット７１に差し込み係止する。これによりスタンド４０の他方の端部が組み立てられ、図７に示すようにスタンド４０の組立が完了する。スタンド４０は、一対の側面部４８と外背面部５２、内背面部５８、正面部６８等により、底面部４４の四方を囲む壁が形成される。
【００２８】
この後、スタンド４０の壁の中に、段ボール箱８６を一対の帯部材８８で束ねた形状のまま入れる。段ボール箱８６は四方を囲む壁により支持され、自立する。帯部材８８を切断しても段ボール箱８６は重ねられた状態を維持して自立する。段ボール箱８６は、使用するため１個ずつ取り出しても、残りの段ボール箱８６はスタンド４０で支持され倒れることがない。
【００２９】
この実施形態の包装体１０によれば、収容物である段ボール箱８６を包装して搬送や保管を行い、使用後は簡単な組立工程で段ボール箱８６を立てるスタンド４０に組み立てなおして使用することができる。特に、段ボール箱８６を包装した時、段ボール箱８６に沿って折り曲げて角部となる折罫線２０，２２，２４には切取用の破断線が位置せず、角部の強度が維持され、安全に運搬や保管を行うことができる。段ボール箱８６は、帯部材８８を取り外してもバラバラにならず、自立して置くことができ、取り出しやすく次に商品等を段ボール箱８６で包装する作業が容易となる。しかも、段ボール箱８６を自立させて置くためコンパクトで、無駄なスペースを使うことがない。段ボール箱８６の残りが少なくなって隙間が広くなっても、底面部４４の四方を囲む壁に支持され、倒れることなく自立させることができる。包装体１０は、従来使用後に破棄していたが、スタンド４０として再利用することができ、資源を有効に利用することができる。スタンド４０の組み立て方法は簡単であり、工具や接着剤等が不要であり、短時間で容易に組み立てることができる。
【００３０】
なお、この発明の包装体は、上記実施の形態に限定されるものではなく、各部の大きさや形状等は収容物に合わせて適宜変更可能である。各差込片と、差込片が差し込まれて係止される切断線の形状は、簡単で確実に係止されるものであれば良く、自由に変更可能である。包装体のシート体の材料は、段ボール紙以外でも良く、厚紙や合成樹脂製の段ボールシートでもよい。収納物である段ボール箱の大きさや形状は自由に設定可能であり、１０枚以外の数を重ねたものでも良く、段ボール箱の大きさや厚みに合わせてシート体１１の大きさを適宜変更可能である。また収容物は段ボール箱以外でも良く、板状の建築部材等いろいろなものに使用することができる。収容物は板状体以外でも良く、四角注状やロール状のものが平行に束ねられたもの等でもよい。なお、シート体の裏面と表面が逆でもよい。
【符号の説明】
【００３１】
１０  包装体
１１  シート体
１１ｂ  側縁部
１２，１４，１６，１８  側面
２０，２２，２４  折罫線
４０  スタンド
４２  スタンド形成片
４４  底面部
４４ａ，４４ｂ，４８ａ  端部
４８  側面部
５２  外背面部
５８  内背面部
６６，８４  破断線
６８  正面部
８６  段ボール箱
８８  帯部材
【図１】
0003210645.tif 000003
【図２】
0003210645.tif 000004
【図３】
0003210645.tif 000005
【図４】
0003210645.tif 000006
【図５】
0003210645.tif 000007
【図６】
0003210645.tif 000008
【図７】
0003210645.tif 000009